(57)【要約】      （修正有）【課題】開閉を容易にすることができる物品収納袋を提供する。【解決手段】物品収納袋１は、フィルム９ａ，９ｂが重層されてなるシート９とフィルム９ａ’，９ｂ’が重層されてなるシート９’とにより構成された袋本体と、ファスナ構成体５ａと５ｂとからなるファスナとを備える。各シートは、内部に空隙１１が設けられ、夫々のシートを構成するフィルム同士が摺動可能に構成されている。この構造により、シート同士が接着されていても、フィルム同士が摺動可能なため、利用者が指でつまむなどしてフィルムを摺動させることにより、物品収納袋１の開口端を容易に開口することができる。また、シート９の強度を必要な強度に保ちながら、夫々のフィルムの厚みを小さくして袋を設計することができるので、シートを柔軟に構成することができる。【選択図】図２
0003134676.tif 000002
【実用新案登録請求の範囲】
【請求項１】
対向するシートの端部が接着されて袋状に構成された、開口端を有する袋本体と、
前記対向するシートの夫々において、互いに対向するように固定されたファスナ構成体の１組からなるファスナと、
を備え、前記各ファスナ構成体が、前記開口端から所定距離離れた位置で、前記開口端に沿って設けられた物品収納袋であって、
前記対向するシートの夫々は、前記ファスナの固定位置から前記開口端にかけて、複数のフィルムが重層された構成にされ、前記各フィルム間に空隙を有する構成されていること
を特徴とする物品収納袋。
【請求項２】
前記袋本体は、その全体が、複数のフィルムが重層されてなるシートにより構成されてなり、
前記シートは、前記各フィルム間に空隙を有する構成にされていること
を特徴とする請求項１記載の物品収納袋。
【請求項３】
前記各フィルム間の空隙には、断熱性の気体が封入されていること
を特徴とする請求項２記載の物品収納袋。
【請求項４】
前記シートは、前記空隙の一部が開口された構成にされ、
当該物品収納袋は、前記対向するシート間に、物品を収納可能な構成にされると共に、前記フィルム間に物品を収納可能な構成にされていること
を特徴とする請求項２又は請求項３記載の物品収納袋。
【考案の詳細な説明】
【技術分野】
【０００１】
本考案は、ファスナを備える物品収納袋に関する。
【背景技術】
【０００２】
従来より、物品を収納するための物品収納袋としては、耐水性・柔軟性・引張強伸度などに優れた高分子フィルムからなる物品収納袋が知られている（例えば、特許文献１参照）。この種の物品収納袋は、対向する２枚のフィルムの端部が、溶着されて袋状に構成される。
【０００３】
また、この種の物品収納袋としては、開口部を開閉する機能を有したファスナを備える物品収納袋が知られている。ファスナを備える物品収納袋では、利用者がファスナを操作することで、内部空間を密閉することができる。このため、ファスナを備える物品収納袋は、食品などの密閉して収納したい物品の収納袋として、広く用いられている。
【特許文献１】特開２００３−７２７７７号公報
【考案の開示】
【考案が解決しようとする課題】
【０００４】
ところで、上述した従来の物品収納袋では、利用者が物品を収納しようとする際に、対向するフィルム同士が密着して、袋を開くことが困難になる場合がある。例えば、フィルム間に液体が付着すると、その接着力によってフィルム間が密着してしまい、利用者が袋を開口するためにフィルム間に指を挿入することが困難になる場合がある。
【０００５】
また、従来では、フィルムの厚みを高めることで袋の強度を高めているが、このような手法で袋の強度を高めると、フィルムの厚みが増すために袋が変形しにくくなり、袋が開きづらくなるといった問題があった。
【０００６】
この他、ファスナを有する物品収納袋では、ファスナが硬いため、ファスナが変形したときに、強い復元力が働く。このため、従来のファスナ付き物品収納袋では、ファスナを備えない袋よりも開口部を開けにくいといった問題があった。
【０００７】
本考案は、こうした問題に鑑みなされたものであり、開口部を容易に開口することが可能なファスナ付き物品収納袋を提供することを目的とする。
【課題を解決するための手段】
【０００８】
かかる目的を達成するためになされた本考案の物品収納袋（請求項１）は、袋本体とファスナとから構成される。袋本体は、対向するシートの端部が接着されて袋状に構成され、開口端を有した構造にされている。一方、ファスナは、対向するシートの夫々において、互いに対向するように固定されたファスナ構成体の１組からなり、各ファスナ構成体は、前記開口端から所定距離を離れた位置で、この開口端に沿ってシート上に設けられている。
【０００９】
また、対向するシートの夫々は、ファスナの固定位置から前記開口端にかけて、複数のフィルムが重層された構成にされ、各フィルム間に空隙を有した構成にされている。
このように構成された物品収納袋の利点は、開口部の開口のし易さにある。
【００１０】
従来の物品収納袋では、物品を袋内側に収納する際の物品の挿入口となる袋の開口部で、対向するシートの間に液体が付着すると、液体の表面張力によってシート間に接着力が働き、利用者が、対向するシートを開いて挿入口を開口するのに苦労することがある。即ち、シートが液体の接着力により密着すると、シートを分離可能に変形させようとしても、シート間の接着力によって、対向するシートの夫々が他方のシートに対して摺動せず、各シートが他方のシートに対して変形しないため、袋を開けるのに苦労することがある。
【００１１】
そこで、本考案では、物品の収納口となる袋の開口端近辺のシートを複数のフィルムで構成すると共に、フィルム間を接着せず、各フィルム間に空隙を設け、各フィルムが隣接するフィルムに対して摺動可能なように袋を構成することで、対向するシートの間に液体が付着して、シート間が接着しても、シートを他方のシートに対して変形させることができ、容易に袋を開けることができるようにした。
【００１２】
例えば、シートの上記部位を２枚のフィルムの重層体とした場合には、上述の理由により、シート間が接着しても、袋の内側を構成する各シートのフィルムは、接着するが、袋の外側を構成する各シートのフィルムは、接着しない。従って、本考案の物品収納袋によれば、シート間に液体が付着しても、シートの擦り合わせにより、一方のシートの袋外側に位置するフィルムを、他方のシートの袋外側に位置するフィルムに対して歪ませることができ、これらのフィルムを指で摘んで、容易に袋を開口することができるのである。
【００１３】
また、本考案では、シートをフィルムの重層体により構成しているので、シートの強度を必要な強度に保ちながら、フィルム１枚の厚みを、小さくして、袋を設計することができ、シートを柔軟に構成することができる。従って、本考案のように、袋を構成すれば、シートが変形しやすく、開口部を容易に開けることができる。
【００１４】
よって、本考案によれば、開口部を容易に開口することが可能な利用者にとって便利なファスナ付き物品収納袋を提供することができる。
尚、上述の物品収納袋においては、袋本体の全体を、複数のフィルムが重層されてなるシートにより構成されるのが好ましい。
【００１５】
このように物品収納袋を構成すれば（請求項２）、シートの一部のみをフィルムの重層体とするよりも、製造プロセスを簡素化することができ、安価に物品収納袋を製造することができる。
【００１６】
また、上述の物品収納袋は、フィルム間に、断熱性の気体が封入された構成にされてもよい（請求項３）。このように物品収納袋を構成すれば、物品収納袋の断熱性を高めることができる。
【００１７】
尚、物品収納袋の断熱性を高める方法としては、その他に、フィルムを何層にも重層して、シートの厚みを高めることで断熱性を高める方法が考えられるが、このような方法で、物品収納袋を構成すると、柔軟性や、特に食品などの陳列時に求められる透光性が失われることになる。換言すると、断熱性の気体を封入して袋の断熱性を高める本考案によれば、物品収納袋の柔軟性や透光性を劣化させずに、袋の断熱性を高めることができ、より優れた物品収納袋を利用者に対し提供することができる。
【００１８】
また、上述のシートにおいては、フィルム間の空隙の一部を開口し、これによって、外部からフィルム間に物品を収納することができるよう、上述の物品収納袋を構成するとよい（請求項４）。このようにすれば、シート間に、物品を収納可能な構成であって、フィルム間にも物品を収納可能な物品収納袋を利用者に提供することができ、互いに接触することは避けたい複数の物品を１つの物品収納袋に収納することができる。例えば、食品とその食品の情報を記したラベルとを１組として、又は、食品と保冷剤とを１組として、これらの１組の物品を、互いに接触することなく、分けて１つの物品収納袋に収納することができ、利便性が向上する。
【考案を実施するための最良の形態】
【００１９】
以下に本考案の実施例について、図面と共に説明する。
【実施例１】
【００２０】
図１は、本考案が適用された物品収納袋１の全体構成を正面から表した平面図である。また、図２は、物品収納袋１のＡ−Ａ’断面を表す断面図であり、図３は、物品収納袋１のＢ−Ｂ’断面を表す断面図である。
【００２１】
図１に示すように、本実施例（第一実施例）の物品収納袋１は、袋本体３とファスナ５とから構成されている。袋本体３は、矩形のシート９，９’の端部１０（図３参照）が溶着された構成にされ、物品を収納可能な袋としての機能を有する。
【００２２】
具体的に、袋本体３は、矩形のシート９が有する４辺のうちの３辺が、対向する他方のシート９’の対応する辺と接続された構成にされている。即ち、袋本体３は、１辺が非接続の状態にされて、袋状に構成され、開口端７を有する構成にされている。
【００２３】
また、シート９は、複数枚の高分子フィルムが重層された構成にされている。具体的に、本実施例のシート９は、２枚の透明な高分子フィルム９ａ，９ｂが重ね合わされた構成にされ、矩形のフィルム９ａの各辺が他方のフィルム９ｂと接続され、各辺の端部と、ファスナ５が固定された部位とを除いて、フィルム９ａ，９ｂ間が非接着の状態にされている。
【００２４】
換言すると、シート９は、各辺の端部と、ファスナ５が固定された部位とを除いて、フィルム９ａと９ｂとの間に空隙１１が設けられた構成にされ、フィルム９ａとフィルム９ｂとが互いに摺動可能な構成にされている。また、シート９’は、フィルム９ａ’と９ｂ’とからなり、ファスナ５の構成部位を除いて、シート９と、同一構成にされている。
【００２５】
また、ファスナ５は、１組のファスナ構成体５ａ，５ｂから成る。このファスナ構成体５ａ，５ｂの１組は、袋本体３を構成するシート９及びシート９’の夫々の袋内側で、互いに対向するようにして、固定されている。具体的に、各ファスナ構成体５ａ，５ｂは、開口端７から所定の距離をとり、開口端７と平行な状態で、シート９，９’に固定されている。
【００２６】
また、シート９，９’に固定されたファスナ構成体の一方は、凹条を有したファスナ構成体５ａとして構成され、他方は、凸条を有したファスナ構成体５ｂとして構成されている。即ち、ファスナ構成体５ａ，５ｂの組は、利用者の操作により互いに押圧されることとで、凸条と凹条が噛み合って、互いに結合する。このファスナ５によって、物品が収納されるときに通る開口端７から袋本体３の内部空間への通路は、塞がれ、物品収納袋１は、内部空間が密閉された状態にされる。この状態で、物品収納袋１に収納された物品は、当該袋内に密封される。
【００２７】
図４は、本実施例の物品収納袋１に物品１３が収納されるときの様子を、図１のＡ−Ａ’断面によって表した図である。袋本体３が開口された状態で、開口端７から物品１３が収納され、ファスナ５が閉じられることにより、物品１３は、袋内に封入される。
【００２８】
また、図５は、利用者の操作により、シート９とシート９’とが分離されるときの様子を表した図である。ここでは、シート９，９’間に液体等が付着してシート９，９’間が密着しているものとして、シート９，９’が分離されるときの態様を以下に説明する。
【００２９】
利用者が、シート９，９’におけるファスナ５から開口端７までの部位を指で挟みこみ、シート９，９’に圧縮力を掛けながらシート９，９’にせん断力を掛けると、シート９，９’同士は密着しているので摺動しないが、１枚のシートを構成するフィルム９ａ，９ｂ同士、又は、フィルム９ａ’，９ｂ’同士は、密着していないので摺動し、フィルム９ｂは、フィルム９ｂ’に対して自由に変形する。従って、本実施例の物品収納袋１によれば、対向するシート９とシート９’との間に液体が付着して、シート９とシート９’とが接着しても、シート９をシート９’に対して変形させることができ、袋を容易に開口することができるのである。
【００３０】
また、本実施例では、フィルム間の空隙１１に、空気を封入することで、シート９とシート９’との間に形成される物品収納可能な空間と外部との断熱性を向上させるようにした。従って、本実施例によれば、断熱性に優れた物品収納袋１を提供することができる。
【００３１】
なお、上記物品収納袋１は、例えば、次の手順で製造することができる。
即ち、物品収納袋１を製造するに際しては、図６（ａ）（ａ’）に示されるような、筒状のインフレーションフィルム１５を用意する。図６（ａ）は、インフレーションフィルム１５の側面図、図６（ａ’）は、インフレーションフィルムの平面図である。また、図６（ｂ）（ｃ）（ｄ）（ｂ’）（ｃ’）（ｄ’）は、物品収納袋１が完成するまでのインフレーションフィルム１５の加工過程を示したものであり、（ｂ）（ｃ）（ｄ）は、インフレーションフィルム１５の側面図、（ｂ’）（ｃ’）（ｄ'）は平面図である。
【００３２】
次に、インフレーションフィルム１５を、図６（ｂ）（ｂ’）に示されるように、長手方向と平行且つ短辺の幅を２等分する線分を、折り目として、折りたたむ。そして、図６（ｃ）（ｃ’）に示されるように、開口端７から所定の距離をおいて、インフレーションフィルム１５に対し、ファスナ構成体５ａ，５ｂを溶着する。具体的には、当該インフレーションフィルム１５の長手方向に沿って、ファスナ構成体５ａ，５ｂを溶着する。
【００３３】
最後に、図６（ｄ）（ｄ’）に示されるように、加工した上記インフレーションフィルム１５の溶着・切断を、所定間隔毎に行う。具体的には、インフレーションフィルム１５の長手方向と直交する方向に、インフレーションフィルム１５の上記溶着・切断を行う。物品収納袋１は、例えば、このような手順で、製造することができる。
【実施例２】
【００３４】
続いて、第二実施例について説明する。図７は、シート９’を構成する２枚のフィルム９ａ’，９ｂ’のうち、袋外側のフィルム９ｂ’に、切込み１９を設けることで、空隙１１に、物品を収納可能にした第二実施例の物品収納袋１’の構成を表す説明図である。
【００３５】
切込み１９は、例えば、ファスナ５より下方に所定距離離れた位置で、ファスナ５に対し、平行な状態で設けることができる。尚、第二実施例の物品収納袋１’は、切込み１９を有することを除いて、上述した実施例の物品収納袋１と同一構成にされている。
【００３６】
このように構成された第二実施例の物品収納袋１’によれば、シート９とシート９’との間に、物品１３を収納し、空隙１１に形成された物品収納な空間に、物品１３の情報を記したラベル２１を収納することができる。従って、第二実施例によれば、糊付けなどによってラベルをフィルムに貼り付ける必要が無く、利用者の利便性が向上する。またフィルムとラベルとの分離が容易にできるという効果も生まれる。
【図面の簡単な説明】
【００３７】
【図１】物品収納袋１の正面図である。
【図２】物品収納袋１のＡ−Ａ’断面図である。
【図３】物品収納袋１のＢ−Ｂ’断面図である。
【図４】物品収納袋１に物品が収納される様子を表した図である。
【図５】物品収納袋１の開口端７が、剥離される様子を表した図である。
【図６】物品収納袋１の製造方法を表した図である。
【図７】第二実施例の物品収納袋１’の構成を表す断面図である。
【符号の説明】
【００３８】
１，１’…物品収納袋、３…袋本体、５…ファスナ、５ａ，５ｂ…ファスナ構成体、７…開口端、９，９’…シート、９ａ，９ｂ，９ａ’，９ｂ’…フィルム、１１…空隙、１３…物品、１５…インフレーションフィルム、１９…切込み、２１…物品の情報を記したラベル
【図１】
0003134676.tif 000003
【図２】
0003134676.tif 000004
【図３】
0003134676.tif 000005
【図４】
0003134676.tif 000006
【図５】
0003134676.tif 000007
【図６】
0003134676.tif 000008
【図７】
0003134676.tif 000009